(57)【要約】【課題】  使用者によるフィンアッセンブリーの着脱が簡単で、フィンアッセンブリーや本体内の清掃を隅々まで確実に行うことのできる温風暖房機を提供する。【解決手段】  吹出し口の内側に取付けられたルーバーベース４と、吹出し口内においてルーバーベース４に着脱可能に装着されるフィンアッセンブリー５とを有し、ルーバーベース４の一方の側にヒンジ軸受部４７ａ，４７ｂを設けると共に、他方の側にねじ挿通孔４５ａを設けてその背面にナットを取付け、また、フィンアッセンブリー５の一方の側にルーバーベース４のヒンジ軸受部４７ａ，４７ｂに着脱可能に嵌合するヒンジ軸５６ａ，５６ｂを設けると共に、他方の側にねじ挿通孔４５ａに挿通してナットに螺入するつまみねじ５８を設けた。【選択図】        図１
2005241116.tif 000002
【特許請求の範囲】
【請求項１】
吹出し口の内側に取付けられたルーバーベースと、前記吹出し口内において前記ルーバーベースに着脱可能に装着されるフィンアッセンブリーとを有し、
前記ルーバーベースの一方の側にヒンジ軸受部を設けると共に、他方の側にねじ挿通孔を設けてその背面にナットを取付け、また、前記フィンアッセンブリーの一方の側に前記ルーバーベースのヒンジ軸受部に着脱可能に嵌合するヒンジ軸を設けると共に、他方の側に前記ねじ挿通孔に挿通してナットに螺入するつまみねじを設けたことを特徴とする温風暖房機。
【請求項２】
前記ヒンジ軸受部とヒンジ軸をばね性を有する板材で形成したことを特徴とする請求項１記載の温風暖房機。
【請求項３】
前記ヒンジ軸受部とヒンジ軸を互いに同方向に開口して形成し、それぞれの先端部に互いに反対方向にカールを設けたことを特徴とする請求項１又は２記載の温風暖房機。
【発明の詳細な説明】
【技術分野】
【０００１】
本発明は、温風暖房機に係り、より詳しくは、その温風吹き出し口の構造に関するものである。
【背景技術】
【０００２】
従来の温風暖房機に、温風吹出口が形成された吹出しグリル及び空気吸込口を有する本体ケースと、この本体ケース内に形成され空気吸込口と温風吹出口とを連絡する送風流路と、この送風流路に配設された対流用ファン及び熱交換部と、この熱交換部内に燃焼熱気を供給する燃焼部と、熱交換部よりも風下側の送風流路内で、且つ、吹出しグリルに対向する位置に配置された加湿皿と、この加湿皿を着脱可能に保持する受体とを備えた温風暖房機において、吹出しグリルを本体ケースに対して着脱可能に取付けると共に、この吹出しグリルが本体ケースから取外された際に燃焼部の燃焼を強制的に停止させる強制停止手段を前記本体ケースに設けたものがある（例えば、特許文献１参照）。
【０００３】
【特許文献１】特開２００２−３４０４１３号公報（第４頁、図１、図５）
【発明の開示】
【発明が解決しようとする課題】
【０００４】
温風暖房機は、運転中に、対流空気を室内のプロペラファンにより外気を取り入れ、熱気と共に温風を吹き出す構造であることから、空気中のホコリを吸込む為、風路内の突起部や本体吹き出し口のルーバーに取り付けられたフィンにホコリや燃焼時に発生したタールが付着し、焦げて臭いや煙を発生したり、送風の風量が落ちて内部の温度が上昇し、製品劣化や本体外郭または内部温度が上昇するため、これが機器故障の原因の一つとなっていた。これらを解消するためにはルーバーを取外して清掃することが必要である。
しかしながら、特許文献１の温風暖房機においては、ルーバー（吹き出しグリル）は、前パネル（化粧パネル）の一部を可動させ、または全体を外して、ルーバーを固定しているネジをドライバー等の工具を使用して外さなければ、取り外せない構造となっているため、取外し、取付けが極めて面倒であった。
【０００５】
本発明は、上記の課題を解決するためになされたもので、使用者によるフィンアッセブリーの着脱がきわめて簡単で、フィンアッセンブリーや本体内の隅々まで容易に清浄することができ、故障がなく、安全面、衛生面にも配慮した温風暖房機を提供することを目的としたものである。
【課題を解決するための手段】
【０００６】
本発明に係る温風暖房機は、吹出し口の内側に取付けられたルーバーベースと、前記吹出し口内において前記ルーバーベースに着脱可能に装着されるフィンアッセンブリーとを有し、前記ルーバーベースの一方の側にヒンジ軸受部を設けると共に、他方の側にねじ挿通孔を設けてその背面にナットを取付け、また、前記フィンアッセンブリーの一方の側に前記ルーバーベースのヒンジ軸受部に着脱可能に嵌合するヒンジ軸を設けると共に、他方の側に前記ねじ挿通孔に挿通してナットに螺入するつまみねじを設けたものである。
【発明の効果】
【０００７】
本発明によれは、使用者によるフィンアッセンブリーの着脱がきわめて簡単で、フィンアッセンブリーや本体内の隅々まで容易に清浄することができ、故障がなく、安全面、衛生面にも配慮した温風暖房機を得ることができる。
【発明を実施するための最良の形態】
【０００８】
図１は本発明の一実施の形態に温風暖房機のフィンアッセンブリーを取外した状態を示す正面図、図２は図１の側面図である。
両図に示すように、温風暖房機の本体部１の前面側には前面パネル２が装着されており、この前面パネル２のほぼ中央部には、周囲に設けた傾斜面３１により前面パネル２の前面より内側（本体部１側、以下同じ）に開口するほぼ長方形状の吹出し口である開口部３が設けられている。４は開口部３の内側において本体部１に取付けられたルーバーベース、５は開口部３内においてルーバーベース４に着脱可能に装着されるフィンアッセンブリー、６は上部に設けた操作部である。
【０００９】
ルーバーベース４は、図１、図３に示すように、前面パネル２の開口部３よりやや大きいほぼ長方形の底板４１と、底板４１の上下において外側（前面パネル２側、以下同じ）に折曲げられた上面板４２ａと下面板４２ｂとが設けられており、下面板４２ｂには前面パネル２の開口部３の傾斜面３１の背面に対応して傾斜面４１ａが形成されている。４３ａ，４３ｂは底板４１の両側において内側（本体部１側、以下同じ）に折曲げられたのち両側に折曲げれたほぼＬ字状の取付腕である。
【００１０】
また、底板４１の左側のほぼ２分の１の領域には、左端部に底板４１の一部を残した状態で、ほぼ長方形のベース開口部４４が設けられている。４５ａはベース開口部４４の右方において底板４１に設けた後述のつまみねじ５８の挿通孔で、その背面側にはナット４５ｂがかしめ等により取付けられている。
４６はばね性を有する板材からなり、ベース開口部４４の左側の底板４１にねじ４８により取付けられたほぼＬ字状のヒンジ軸受取付片で、長手方向のほぼ中央部から下方は外方に直角に折曲げられ、その上端部及び下端部はさらに外方に延設されたのちベース開口部４４側に折曲げられたほぼコ字状のヒンジ軸受部４７ａ，４７ｂが形成されている。なお、両ヒンジ軸受部４７ａ，４７ｂの先端部は外側にカールされている（図５参照）。
【００１１】
フィンアッセンブリー５は、図１、図４に示すように、その外形が前面パネル２の開口部３内に挿入しうるように形成されており、ほぼ長方形の基板５１にはルーバーベース４のルーバ開口部４４に対応して開口部５２が設けられている。そして、複数のフィン５４により開口部５２に設けられた第１のフィン部５３ａと、基板５１上に設けた第２のフィン部５３ｂとが形成されている。また、第１のフィン部５３ａの左側の基板５１上には、ばね性を有する板材からなるほぼＬ字状のヒンジ軸取付片５５がネジ５７により取付けられており、このヒンジ軸取付片５５の両端部はさらに外方に延設されたのち開口部５２側に折曲げられ、ルーバーベース４のヒンジ軸取付片４６に設けたヒンジ軸受部４７ａ，４７ｂに対応してヒンジ軸５６ａ，５６ｂが設けられている。このヒンジ軸５６ａ，５６ｂの外形は、ヒンジ軸受部４７ａ，４７ｂの内側形状とほぼ等しいか又は僅かに大きく形成されており、先端部は開口部５２側（ヒンジ軸受部４７ａ，４７ｂのカールと反対方向）にカールされている（図５参照）。
５８はルーバーベース４のねじ挿通孔４５ａに対応して基板５１に設けられたつまみねじで、基板５１に設けたねじ挿通孔（図示せず）に挿通されており、背面に設けた脱落防止ワッシャー５９により、回転はするが脱落しないようになっている。
【００１２】
次に、本発明に係る温風暖房機の温風吹出し口の組立手順の一例について説明する。なお、温風吹出し口の組立にあっては、前面パネル２は本体部１に装着されていないものとする。
先ず、図２に破線で示すように、ルーバーベース４を本体部１の前面側から挿入し、所定の位置にセットしてその取付腕４３ａ，４３ｂを本体部１にねじ止めする。ついで、本体部１の前面に前面パネル２を装着する。このとき、ルーバーベース４は図１、図２に示すように、前面パネル２の開口部３の内側に位置する。
【００１３】
次に、図５（ａ）に示すように、フィンアッセンブリー５をヒンジ軸５６ａ，５６ｂを上にして開口部３内に傾斜させて挿入し、図５（ｂ）に示すように、ヒンジ軸５６ａ，５６ｂをルーバーベース４のヒンジ軸受部４７ａ，４７ｂ内に嵌入する。そして、フィンアッセンブリー５の他端を押し上げてヒンジ軸５６ａ，５６ｂを中心に矢印方向に回動させる。これにより、ヒンジ軸受部４７ａ，４７ｂは弾性変形してヒンジ軸５６ａ，５６ｂを受け入れ、再び元の状態に戻り、フィンアッセンブリー５はルーバーベース４の底部４１とほぼ平行になって、開口部３内に位置する（図５ｃ）。
【００１４】
この状態で、フィンアッセンブリー５に設けたつまみねじ５８を指で回し、ルーバーベース４に設けたねじ挿通孔４５ａからナット４５ｂに螺入して固定する。これにより、温風吹出し口の組立が完了する。なお、前面パネル２はフィンアッセンブリー５の取付後に本体部１に装着してもよい。このときの状態を図６に示す。
【００１５】
清掃等のためフィンアッセンブリー５を取外す場合は、先ず、手でつまみねじ５８を緩めてルーバーベース４から外す。そして、図５（ｂ）に示すように、フィンアッセンブリー５の端部（ヒンジ軸５６ａ，５６ｂと反対側）を手に持ち、ヒンジ軸５６ａ，５６ｂを中心にフィンアッセンブリー５を反矢印方向に回動させる。ついで、図５（ａ）に示すように、フィンアッセンブリー５を斜め下方に引き下げれば、ヒンジ軸５６ａ，５６ｂがヒンジ軸受部４７ａ，４７ｂから外れるので、フィンアッセンブリー５を容易かつ簡単に取外すことができる。
清掃等が終ったときは、前述の組立の要領でフィンアッセンブリー５をルーバーベース４に装着すればよい。
【００１６】
本発明によれば、ドライバー等の工具を使用することなく使用者によるフィンアッセンブリー５の取付、取外しが容易かつ簡単であり、このため、フィンアッセンブリー５の表裏両面及び本体部１の内部を隅々まで清掃することができるので、故障がなく、安全面、衛生面にも配慮した温風暖房機を得ることができる。
【００１７】
また、ルーバーベース４及びフィンアッセンブリー５に設けたヒンジ軸受部４７ａ，４７ｂ及びヒンジ軸５６ａ，５６ｂは、ばね特性を有する板材で構成したので、ヒンジ軸５６ａ，５６ｂがヒンジ軸受部４７ａ，４７ｂを押し広げながら嵌入することができる。このため、ルーバーベース４は一定のテンションをもってフィンアッセンブリー５を保持することができるので、フィンアッセンブリー５のガタツキを防止することができる。
さらに、ヒンジ軸受部４７ａ，４７ｂ及びヒンジ軸５６ａ，５６ｂはそれぞれ先端部を反対方向にカールしたので、ヒンジ軸受部４７ａ，４７ｂへのヒンジ軸５６ａ，５６ｂの着脱をスムーズに行うことができる。
【図面の簡単な説明】
【００１８】
【図１】本発明の一実施の形態に係る温風暖房機のフィンアッセンブリーを取外した状態を示す側面図である。
【図２】図１の側面図である。
【図３】図１のルーバーベースの一部を省略した平面図、上面図及び側面図である。
【図４】図１のフィンアッセンブリーの一部を省略した平面図、上面図及び側面図である。
【図５】ルーバーベースへのフィンアッセンブリーの着脱手順を示す説明図である。
【図６】ルーバーベースにフィンアッセンブリーを取付けた状態を示す一部を省略した平面図、上面図及び側面図である。
【符号の説明】
【００１９】
１  温風暖房機の本体部、２  前面パネル、３  開口部（吹出し口）、４  ルーバーベース、４５ａ  ねじ挿通孔、４５ｂ  ナット、４６  ヒンジ軸受取付片、４７ａ，４７ｂ  ヒンジ軸受部、５  フィンアッセンブリー、５５  ヒンジ軸取付片、５６ａ，５６ｂ  ヒンジ軸、５８  つまみねじ。
【図１】
2005241116.tif 000003
【図２】
2005241116.tif 000004
【図３】
2005241116.tif 000005
【図４】
2005241116.tif 000006
【図５】
2005241116.tif 000007
【図６】
2005241116.tif 000008